(57)【要約】  縦長の吸収性本体１と外装体２とを備え、吸収性本体１は、着用者の腹側、股下及び背側がつながる方向に相当する長手方向Ｙと、長手方向に直交する幅方向Ｘとを有する吸収性物品。吸収性本体１の肌当接面側には、吸収性本体１の長手方向Ｙの端部１５周辺を幅方向Ｘに被覆するエッジカバーシート８が配されている。  エッジカバーシート８は、吸収性本体１との弱接着部８１と強接着部８２とを有する。弱接着部８１が吸収性本体１の幅方向中央の領域１６に配され、弱接着部８１の幅方向両隣に強接着部８２が配されている。
2020089973.tif 000002
【特許請求の範囲】
【請求項１】
縦長の吸収性本体と、該吸収性本体の非肌当接面側に配された外装体とを備えた吸収性物品であって、
前記吸収性本体は、着用者の腹側、股下及び背側がつながる方向に相当する長手方向と、該長手方向に直交する幅方向とを有し、
前記吸収性本体の肌当接面側には、該吸収性本体の前記長手方向の端部周辺を前記幅方向に被覆するエッジカバーシートが配されており、
前記エッジカバーシートは、前記吸収性本体との弱接着部と強接着部とを有し、前記弱接着部が前記吸収性本体の幅方向中央の領域に配され、前記弱接着部の幅方向両隣に前記強接着部が配されている、吸収性物品。
【請求項２】
前記エッジカバーシートは、前記弱接着部と前記吸収性本体の長手方向外方側で隣接する領域に、前記弱接着部よりも接着強度の強い長手方向強接着部を有する請求項１記載の吸収性物品。
【請求項３】
前記弱接着部が、前記吸収性本体の有する吸収体の配置位置と重なって配されている請求項１又は２記載の吸収性物品。
【請求項４】
前記弱接着部の幅方向両隣に配されている前記強接着部が、前記吸収性本体の有する立体ギャザー部の構成部材の配置位置と重なって配されている請求項１〜３のいずれか１項に記載の吸収性物品。
【請求項５】
前記エッジカバーシートは、前記弱接着部と前記吸収性本体の長手方向内方側で隣接する領域に、前記弱接着部よりも接着強度の弱い易剥離性部を有する請求項１〜４のいずれか１項に記載の吸収性物品。
【請求項６】
前記易剥離性部が、未接着接部である請求項５記載の吸収性物品。
【請求項７】
前記弱接着部の幅方向両隣に、前記エッジカバーシートと前記吸収性本体とを接合する筋状の固定部が、前記吸収性本体の長手方向に対して傾斜して配されており、
前記吸収性本体の長手方向外方側に位置する前記固定部の端部が、前記吸収性本体の長手方向内方側に位置する前記固定部の端部よりも、前記吸収性本体の幅方向中央側に配置されている請求項１〜６のいずれか１項に記載の吸収性物品。
【請求項８】
前記弱接着部が、前記吸収性本体の有する吸収体の配置位置と重なって配されており、前記弱接着部と重なる位置に配置された前記吸収体の部位の剛性が、該部位と前記吸収性本体の長手方向内方側で隣接する前記吸収体の部位の剛性よりも低い、請求項１〜７のいずれか１項に記載の吸収性物品。
【請求項９】
前記弱接着部と重なる位置に配置された前記吸収体の部位の坪量が、該部位と前記吸収性本体の長手方向内方側で隣接する前記吸収体の部位の坪量よりも小さい、請求項８記載の吸収性物品。
【請求項１０】
前記弱接着部と重なる位置に配置された前記吸収体の部位の密度が、該部位と前記吸収性本体の長手方向内方側で隣接する前記吸収体の部位の密度よりも小さい、請求項８記載の吸収性物品。
【請求項１１】
前記弱接着部と重なる位置に配置された前記吸収体の部位に、前記吸収体を構成する吸収性材料を備えた吸収性コアの配されていない部位が含まれている、請求項８記載の吸収性物品。
【請求項１２】
前記吸収性物品の前記弱接着部に対応する領域には、前記エッジカバーシートを前記幅方向に伸縮させる弾性部材が配されておらず、前記弱接着部よりも前記吸収性本体の長手方向外方側に、前記エッジカバーシートを前記幅方向に伸縮させる弾性部材が配されている、請求項１〜１１のいずれか１項に記載の吸収性物品。
【請求項１３】
前記弱接着部よりも前記吸収性本体の長手方向外方側に配された前記弾性部材のうち、最も強い収縮力を有する弾性部材が前記弱接着部に最も近い位置に配されている、請求項１２記載の吸収性物品。
【請求項１４】
前記エッジカバーシートは、前記吸収性本体の長手方向内方側に、折り返し端部を有し、前記折り返し端部が、前記弱接着部の幅方向両隣にて固定されている、請求項１〜１３のいずれか１項に記載の吸収性物品。
【請求項１５】
前記折り返し端部と前記弱接着部との間に、前記エッジカバーシートを前記幅方向に伸縮させる弾性部材が配されている請求項１４記載の吸収性物品。
【請求項１６】
前記弱接着部の前記長手方向の長さが２ｍｍ以上７ｍｍ以下である請求項１〜１５のいずれか１項に記載の吸収性物品。
【請求項１７】
前記弱接着部の前記幅方向の長さが３０ｍｍ以上１００ｍｍ以下である請求項１〜１６のいずれか１項に記載の吸収性物品。
【請求項１８】
前記強接着部における接着強度と前記弱接着部における接着強度との差が０．５Ｎ／５０ｍｍ以上１．９Ｎ／５０ｍｍ以下である請求項１〜１７のいずれか１項に記載の吸収性物品。
【請求項１９】
前記強接着部における接着強度が１．３Ｎ／５０ｍｍ以上２．７Ｎ／５０ｍｍ以下である請求項１〜１８のいずれか１項に記載の吸収性物品。
【請求項２０】
前記弱接着部における接着強度が０．２Ｎ／５０ｍｍ以上０．８Ｎ／５０ｍｍ以下である請求項１〜１９のいずれか１項に記載の吸収性物品。
【請求項２１】
前記弱接着部が接着されている前記吸収性物品の表面に、接着強度低下剤が含有されている請求項１〜２０のいずれか１項に記載の吸収性物品。
【請求項２２】
前記接着強度低下剤が親水化油剤に含まれている請求項２１記載の吸収性物品。
【請求項２３】
前記接着強度低下剤がシリコーン化合物からなる請求項２１記載の吸収性物品。
【請求項２４】
前記エッジカバーシートのバルクソフトネスが４ｃＮ以上７ｃＮ以下である請求項１〜２３のいずれか１項に記載の吸収性物品。
【請求項２５】
前記エッジカバーシートは、前記弱接着部と前記吸収性本体の長手方向外方側で隣接する領域に、前記弱接着部よりも接着強度の強い長手方向強接着部を有し、前記弱接着部が前記吸収性本体から剥離した状態で、該弱接着部のしわのピッチが、前記長手方向強接着部のしわのピッチよりも大きい、請求項１〜２４のいずれか１項に記載の吸収性物品。
【請求項２６】
前記エッジカバーシートは、前記弱接着部と前記吸収性本体の長手方向外方側で隣接する領域に、前記弱接着部よりも接着強度の強い長手方向強接着部を有し、前記弱接着部が前記吸収性本体から剥離した状態で、該弱接着部のしわの深さが、前記長手方向強接着部のしわの深さよりも深い、請求項１〜２５のいずれか１項に記載の吸収性物品。
【請求項２７】
前記長手方向強接着部における接着強度と前記弱接着部における接着強度との差が０．５Ｎ／５０ｍｍ以上１．９Ｎ／５０ｍｍ以下である請求項２５又は２６記載の吸収性物品。
【請求項２８】
前記長手方向強接着部における接着強度が１．３Ｎ／５０ｍｍ以上２．７Ｎ／５０ｍｍ以下である請求項２５〜２７のいずれか１項に記載の吸収性物品。
【請求項２９】
前記エッジカバーシートが、前記外装体とは独立した不織布からなる請求項１〜２８のいずれか１項に記載の吸収性物品。
【請求項３０】
前記弱接着部が、前記吸収性物品の着用者の背側に対応する位置に配されている請求項１〜２９のいずれか１項に記載の吸収性物品。
【発明の詳細な説明】
【技術分野】
【０００１】
本発明は、吸収性物品に関する。
【背景技術】
【０００２】
従来、おむつ等の吸収性物品について、着用感や漏れ防止性を改善する技術が提案されてきた。
例えば、特許文献１には、縦長の吸収性本体と外装体とを有するおむつであって、前記吸収性本体の肌当接面側の長手方向端部をエッジ不織布で覆ったパンツ型おむつが記載されている。該パンツ型おむつの穿き心地を高める観点から、吸収性本体の端部を外装体及びエッジ不織布と接着させないようにしている。前記吸収性本体の端部を避けた位置において、前記エッジ不織布は、該吸収性本体の肌当接面側及び外装体の肌当接面側におむつの幅方向全体に亘って接着されている。
特許文献２には、液漏れ防止の観点から、長手方向に延在する一対の防漏カフを、肌側部及び背側部において吸収性本体の肌当接面側と接合したパンツ型おむつが記載されている。このパンツ型おむつにおいては、吸収性本体及び防漏カフの長手方向の端部域を被覆シートが覆う。該被覆シートの股下部側に位置する端部域は、幅方向全体に亘って吸収性本体及び防漏カフと非接合にされている。【０００３】
【特許文献１】特開２０１６−３６５１９号公報
【特許文献２】特開２０１６−１１２２０８号公報
【発明の概要】
【０００４】
本発明は、縦長の吸収性本体と、該吸収性本体の非肌当接面側に配された外装体とを備えた吸収性物品であって、前記吸収性本体は、着用者の腹側、股下及び背側がつながる方向に相当する長手方向と、該長手方向に直交する幅方向とを有し、前記吸収性本体の肌当接面側には、該吸収性本体の前記長手方向の端部周辺を前記幅方向に被覆するエッジカバーシートが配されており、前記エッジカバーシートは、前記吸収性本体との弱接着部と強接着部とを有し、前記弱接着部が前記吸収性本体の幅方向中央の領域に配され、前記弱接着部の幅方向両隣に前記強接着部が配されている、吸収性物品を提供する。
【０００５】
本発明の上記及び他の特徴及び利点は、適宜添付の図面を参照して、下記の記載からより明らかになるであろう。
【図面の簡単な説明】
【０００６】
【図１】本発明に係る吸収性物品の好ましい一実施形態を示したパンツ型おむつの斜視図である。
【図２】図１に示したパンツ型おむつをサイドシール部で破断して展開し伸長させた状態を、肌当接面側から見た一部切欠展開平面図である。
【図３】図２に示したパンツ型おむつの背側部において、エッジカバーシートの弱接着部及び強接着部を示した部分拡大平面図である。
【図４】図２に示したパンツ型おむつの背側部において、エッジカバーシートの弱接着部が吸収性本体の幅方向中央の領域から剥離して捲れ、防漏壁が形成されている状態を一部拡大して模式的に示した説明図である。
【図５】図２に示したパンツ型おむつの背側部において、弱接着部と吸収性本体の長手方向外方側で隣接する領域に長手方向強接着部が配された態様を示した部分拡大平面図である。
【図６】図２に示したパンツ型おむつの背側部において、強接着部の配置領域の変形例（Ａ）及び（Ｂ）を示した部分拡大平面図である。
【図７】図２に示したパンツ型おむつの背側部において、弱接着部と吸収性本体の長手方向内方側で隣接する領域に易剥離性部が配された態様を示した部分拡大平面図である。
【図８】図２に示したパンツ型おむつの背側部において、エッジカバーシートと吸収性本体とを接合する筋状の固定部が配された態様を示した部分拡大平面図である。
【図９】（Ａ）は、パンツ型おむつの背側部の幅方向中央の領域において、エッジカバーシートの弱接着部と重なる位置に配された吸収体の部位の剛性が、隣接する吸収体の部位の剛性よりも低くされた態様を示した部分拡大断面図であり、（Ｂ）は（Ａ）における弱接着部が剥離して捲れ、防漏壁が形成された状態を模式的に示した部分拡大断面図である。
【図１０】パンツ型おむつの背側部の幅方向中央の領域において、弱接着部と外装体に配された弾性部材との配置関係を模式的に示した部分拡大断面図である。
【図１１】（Ａ）は、パンツ型おむつの背側部において、エッジカバーシートが折り返し端部を有する態様を示した部分拡大断面図であり、（Ｂ）は（Ａ）における折り返し端部と弱接着部との間に弾性部材を配した態様を示した部分拡大断面図である。
【図１２】パンツ型おむつにおいて、外装体の変形例を示した展開平面図である。
【発明の詳細な説明】
【０００７】
本発明は、尿や軟便などの排泄液が腹側、背側の端部から漏れるのを抑制する吸収性物に関する。
【０００８】
おむつ等の吸収性物品においては、従来から弾性部材を配した立体ギャザー部等によって、尿や軟便などの排泄液の股下からの横漏れを防ぐ対策がとられている。しかし、着用者は常に股下を下に向けているとは限らず、横になる姿勢をとることもある。乳幼児や体の不自由な方であれば、特に横になっている時間が長くなりやすい。この場合、排泄液の量によっては、吸収性物品の股下部で受けた排泄液が腹側部又は背側部へと伝い流れてしまう場合がある。伝え漏れは、吸収性物品の装着時間が長くなるほど生じやすい。そのとき、例えば、おむつでは胴回りのギャザー部による締付けによって漏れを防止できる。それでも、着用者の姿勢や排泄量によっては漏れの虞は残り、排泄液に対する防漏性について更なる改善が望まれる。
【０００９】
これに対し、本発明の吸収性物品は、尿や軟便などの排泄部が腹側、背側の端部から漏れるのを抑制することができる。
【００１０】
以下、本発明に係る吸収性物品の好ましい一実施形態としてのパンツ型おむつ１０について、図面を参照しながら説明する。
【００１１】
本発明においては、特に断らない限り、人体に接触する側を肌面側ないし肌当接面側あるいは表面側といい、これと反対側を非肌面側ないし非肌当接面側あるいは裏面側という。これらは、人体に接触する面を有さない部材に関しても、吸収性物品の部材構成における相対的な位置関係を示す用語として用いる。また、着用時に人体の前側に位置する方向を前方といい、後側に位置する方向を後方という。吸収性物品の表面又は裏面の法線方向を厚み方向という。
【００１２】
図１に示すように、本実施形態のパンツ型おむつ１０（以下、おむつ１０ともいう。）は、縦長の吸収性本体１と外装体２とを有する。外装体２は、着用者の腹側及び背側それぞれに対応する腹側外装部２１と背側外装部２２とを有する。腹側外装体２１及び背側外装部２２は横長であり、それぞれの両側縁が重ね合わされてサイドシール部１１において接合され、おむつ１０における環状の胴回り部１０Ｄが形成されている。吸収性本体１は外装体２から延出して、おむつ１０における股下部１０Ｃをなしている。これにより、おむつ１０は、胴回り部１０Ｄの上方が開放されたウエスト開口部１２と、股下部１０Ｃの左右両側が開放された一対のレッグ開口部１３、１３を有する。また、本実施形態においては、背側外装部２２がサイドシール部１１よりも股下部１０Ｃ側に延出して、着用者の臀部を覆う臀部カバー部となっている。なお、上記のサイドシール部２３は、ヒートシール、超音波シール等の通常用いられる手段によって形成することができる。
【００１３】
図２は、おむつ１０を、サイドシール部１１、１１において破断して展開状態を示している。ここで展開状態とは、各部を伸長させて吸収性物品を平面状に拡げた状態をいう。
おむつ１０は、展開状態において、腹側部１０Ｆ、股下部１０Ｃ及び背側部１０Ｒに区分される。腹側部１０Ｆ及び背側部１０Ｒには、横長の腹側外装部２１及び背側外装部２２それぞれが対応して配されている。縦長の吸収性本体１は、その長手方向を、おむつ１０の腹側部１０Ｆ、股下部１０Ｃ及び背側部１０Ｒに向けて配されている。この配置において、吸収性本体１は、着用者の腹側、股下及び背側がつながる方向に相当する長手方向Ｙと、長手方向Ｙに直交する幅方向Ｘを有する。この着用者の部位に対応して、吸収性本体１は、長手方向に腹側部Ｆ、股下部Ｃ及び背側部Ｒに区分される。吸収性本体１の腹側部Ｆ及び背側部Ｒはそれぞれ、腹側外装部２１及び背側外装部２２の肌当接面側に固定されている。吸収性本体１の股下部Ｃはおむつ１０の股下部１０Ｃを構成している。このおむつ１０の展開形状は、横長の腹側外装部２１及び背側外装部２２と縦長の吸収性本体１とによって、Ｉ字形状を有する。
【００１４】
吸収性本体１における幅方向Ｘは、おむつ１０及び外装体１における幅方向に相当する。吸収性本体１の長手方向Ｙは、おむつ１０及び外装体１における身丈方向に相当する。単に「長手方向」というとき、該長手方向は、吸収性本体１における長手方向と、おむつ１０及び外装体１の身丈方向を意味する。
また、おむつ１０において、ある部位に対する他の部位の長手方向Ｙにおける相対的な位置を「吸収性本体１の長手方向外方Ｙ１側」又は「吸収性本体１の長手方向内方Ｙ２側」にあると言うことがある。他の部位が、ある部位から見て股下部Ｃから腹側部Ｆ又は背側部Ｒへと向かう方向Ｙ１の側にある場合、他の部位は、ある部位の「吸収性本体１の長手方向外方Ｙ１側」にあると言う。他の部位が、ある部位から見て腹側部Ｆ又は背側部Ｒから股下部Ｃへと向かう方向Ｙ２の側にある場合、他の部位は、ある部位の「吸収性本体１の長手方向内方Ｙ２側」にあると言う。なお、「吸収性本体１の長手方向外方Ｙ１側」及び「吸収性本体１の長手方向内方Ｙ２側」は、吸収性本体１に限らず、おむつ１０の様々な構成部材における部位同士の位置関係を示すものとして用いられる。例えば、吸収性本体１以外の部位同士の、又は吸収性本体１以外の部位と吸収性本体１内の部位との間の、長手方向Ｙにおける相対的な位置関係を示すものとして、上記「吸収性本体１の長手方向外方Ｙ１側」及び「吸収性本体１の長手方向内方Ｙ２側」を用いることがある。
【００１５】
次に、外装体２と吸収性本体１の構成について説明する。
【００１６】
外装体２を構成する腹側外装部２１及び背側外装部２２はそれぞれ、肌当接面側の内層シート２３と非肌当接面側の外層シート２４とからなる。内層シート２３及び外層シート２４はともに、実質的に撥水性で且つ水蒸気の透過性を有する不織布が好ましい。この内層シート２３と外層シート２４との間に、胴回り弾性部材２７が、胴回り方向に伸長した状態で固定されている。これらの弾性部材は、おむつ１０の着用時に適度に胴回り方向に伸縮して胴回りギャザー部２８を形成し、着用者の胴回りにおむつ１０をフィットさせる。
【００１７】
吸収性本体１は、肌当接面側の液透過性の表面シート３、非肌当接面側の防漏性の裏面シート４、及び表面シート３と裏面シート４との間に配置される液保持性の吸収体５を有する（図３及び図４参照）。吸収体５は、パルプ繊維の集合体、又は該パルプ繊維と高吸水性ポリマー材との集合体からなる吸収性コア５１と、吸収性コア５１の外周を覆うコアラップシート５２とを有する。裏面シート４の非肌当接面側には、肌触りを良くする観点から、不織布シートが配されていてもよい（図示せず）。
【００１８】
吸収性本体１は、さらに、吸収性本体１の長手方向Ｙの両側に一対のサイドシート６を備える。サイドシート６は、表面シート１の長手方向Ｙの両側域における肌当接面側上方に、弾性部材６１を長手方向Ｙに伸長させた状態で固定した折り返し端部を有する。この部分が伸縮性を備えて肌に向けて起立する立体ギャザー部６２となる。立体ギャザー部６２は、股下部１０Ｃにおける排泄液の横漏れを防ぐ。立体ギャザー部６２を構成する部材（サイドシート６及び弾性部材６１）は、吸収性本体１の腹側部Ｆ及び背側部Ｒにおいて、吸収性本体１の肌当接面側の表面に倒伏して接着されている。これにより、立体ギャザー部６２は、吸収性本体１の腹側部Ｆ及び背側部Ｒでは起立しないようにされている。加えて、サイドシート６は、立体ギャザー部６２の幅方向外方に、弾性部材６３を長手方向Ｙに伸長させた状態で固定した折り返し端部を有する。この部分が、股下部１０Ｃにおけるレッグギャザー部６４となる。
【００１９】
吸収性本体１の肌当接面側には、吸収性本体１の長手方向Ｙの端部１５周辺を幅方向Ｘに被覆するエッジカバーシート８が配されている。エッジカバーシート８は、吸収性本体１の腹側部Ｆ及び背側部Ｒのそれぞれの端部１５、１５周辺を覆う。エッジカバーシート８としては、この種の物品に用いられる素材を用いることができる。肌触りを良好にする観点から、エッジカバーシート８は不織布であることが好ましい。また、エッジカバーシート８は、外装体１とは独立した別体のシートであってもよく、外装体１（腹側外装部２１、背側外装部２２）を構成する部材がおむつ１０の身丈方向（長手方向Ｙに相当）に延出して折り返した部分であってもよい。本実施形態においては、エッジカバーシート８は、外装体１とは独立した別体のシートとしている。
【００２０】
エッジカバーシート８は、吸収性本体１の腹側部Ｆ及び背側部Ｒから外装体１へと長手方向及び幅方向に延出する長さを有する。エッジカバーシート８、８の延出した部分は、外装体２（腹側外装部２１、背側外装部２２）と接着されている。この接着は、この種の物品に用いられる種々の方法により行うことができる。例えば、ホットメルト接着剤を塗工して接着することができる。
【００２１】
エッジカバーシート８は、図３に示すように、吸収性本体１と重なる位置において、吸収性本体１との接着の強度に差のある弱接着部８１と強接着部８２とを有する。弱接着部８１は、吸収性本体１の幅方向中央の領域１６に配されている。この弱接着部８１の幅方向両隣に強接着部８２が配されている。すなわち、エッジカバーシートの弱接着部８１とその両脇の強接着部８２とが、吸収性本体１の幅方向Ｘに並び、かつ、互いに隣接して配列されている。なお、図３では、吸収性本体１の背側部Ｒについて示しているが、腹側部Ｆにおいても同様に、エッジカバーシート８の弱接着部８１及び強接着部８２を幅方向Ｘに並べて配されている（以下に示す態様においても同様。）。
【００２２】
ここで言う「弱接着部８１」及び「強接着部８２」は、パンツ型おむつ１０を穿く際に身丈方向の上方に引き上げる等の通常の動作に伴う外力を基準にして規定される。前記外力によって剥がれる程度に弱く接着された部分（接着強度の弱い部分）が、エッジカバーシート８の「弱接着部８１」となる。前記外力によって剥がれないように強く接着された部分（接着強度の強い部分）が「強接着部８２」となる。「弱接着部８１」及び「強接着部８２」は、通常用いられる接着剤の塗布によって形成することができる。例えば、ホットメルト接着剤の塗布坪量や塗布パターンを変えることに接着強度を異ならせて形成できる。上記の引き上げる力としては０．８Ｎ／５０ｍｍ以上１．３Ｎ／５０ｍｍ以下の力であり、「弱接着部８１」及び「強接着部８２」は、下記の方法による接着強度を測定して画定できる。
【００２３】
（接着強度の測定方法）
おむつ１０の腹側部１０Ｆ及び背側部１０Ｒについて、エッジカバーシート８が接着された状態における測定対象の部位を中心に８０ｍｍ×５０ｍｍの大きさで切り出す。このとき、吸収性本体１の幅方向中央の領域１６に配された弱接着部８１及び両隣の強接着部８２を含むようにして繰り出す。また、弱接着部８１の長手方向に隣接する後述の長手方向強接着部８３及び易剥離性部８４がある場合は、これらの部分を含めて切り出す。
切り出した部位について、おむつ１０の身丈方向に一致する方向を引張方向として、エッジカバーシートと吸収体本体をチャックし、下記の条件にて引張試験を行う。
温度及び相対湿度：２３℃、６５％Ｒ．Ｈ．
試験機：島津製作所社製  オートグラフＡＧＳ−Ｊ（商品名）
チャック間距離：２０ｍｍ
引張速度：３００ｍｍ／分
引張長さ：５０ｍｍ
上記試験は、同じ試料を３つ用意して測定し、測定値の平均を測定対象の部位の接着強度とする。
【００２４】
強接着部８２における接着強度と弱接着部８１における接着強度との差は、下記の作用をより効果的に発現させる観点から、０．５Ｎ／５０ｍｍ以上が好ましく、０．７Ｎ／５０ｍｍ以上がより好ましく、０．９Ｎ／５０ｍｍ以上が更に好ましい。また、前記の接着強度の差は、接着部の肌触りを悪化させない観点から、１．９Ｎ／５０ｍｍ以下が好ましく、１．７Ｎ／５０ｍｍ以下がより好ましく、１．５Ｎ／５０ｍｍ以下が更に好ましい。具体的には、前記の接着強度の差は、０．５Ｎ／５０ｍｍ以上１．９Ｎ／５０ｍｍ以下が好ましく、０．７Ｎ／５０ｍｍ以上１．７Ｎ／５０ｍｍ以下がより好ましく、０．９Ｎ／５０ｍｍ以上１．５Ｎ／５０ｍｍ以下が更に好ましい。
強接着部８２における接着強度は、上記と同様の観点から、１．３Ｎ／５０ｍｍ以上が好ましく、１．５Ｎ／５０ｍｍ以上がより好ましく、１．７Ｎ／５０ｍｍ以上が更に好ましい。また、強接着部８２における接着強度は、上記と同様の観点から、２．７Ｎ／５０ｍｍ以下が好ましく、２．５Ｎ／５０ｍｍ以下がより好ましく、２．３Ｎ／５０ｍｍ以下が更に好ましい。具体的には、強接着部８２における接着強度は、１．３Ｎ／５０ｍｍ以上２．７Ｎ／５０ｍｍ以下が好ましく、１．５Ｎ／５０ｍｍ以上２．５Ｎ／５０ｍｍ以下がより好ましく、１．７Ｎ／５０ｍｍ以上２．３Ｎ／５０ｍｍ以下が更に好ましい。
弱接着部８１における接着強度は、上記と同様の観点から、０．８Ｎ／５０ｍｍ以下が好ましく、０．７Ｎ／５０ｍｍ以下がより好ましく、０．６Ｎ／５０ｍｍ以下が更に好ましい。また、弱接着部８１における接着強度は、上記と同様の観点から、０．２Ｎ／５０ｍｍ以上が好ましく、０．３Ｎ／５０ｍｍ以上がより好ましく、０．４Ｎ／５０ｍｍ以上が更に好ましい。具体的には、弱接着部８１における接着強度は、０．２Ｎ／５０ｍｍ以上０．８Ｎ／５０ｍｍ以下が好ましく、０．３Ｎ／５０ｍｍ以上０．７Ｎ／５０ｍｍ以下がより好ましく、０．４Ｎ／５０ｍｍ以上０．６Ｎ／５０ｍｍ以下が更に好ましい。
【００２５】
おむつ１０において、エッジカバーシート８の弱接着部８１と強接着部８２、８２とは、幅方向Ｘに並んで、吸収性本体１の腹側部Ｆ及び背側部Ｒの端部周辺に接着されている。おむつ１０を穿くためにウエスト開口部１２を持つなどして引き上げた際には、エッジカバーシート８の弱接着部８１が吸収性本体１から剥がれ、着用者の肌に向けて捲れ上がる作用をする。一方、弱接着部８１の幅方向両隣にある強接着部８２は吸収性本体１との接着を維持している。本実施形態においては、エッジカバーシート８が外装体１とは独立した別体のシートであることにより、上記の弱接着部８１の捲れ上がる作用がより明確に生じ得て好ましい。
これにより、図４に示されるように、２つの強接着部８２、８２の間に挟まれた弱接着部８１が、吸収性本体１の幅方向中央の領域１６に、空間部Ｐを備えるポケット状の防漏壁８８を形成する。防漏壁８８が、着用者の肌面に向けて立ち上がり、空間部Ｐ内部において、吸収性本体１の内方から長手方向外方Ｙ１側へと伝い流れる排泄液を防御する。すなわち、防露壁８８によって、吸収性本体１が配されない外装体２の胴回りギャザー部２８まで排泄液が流れることを抑える。流れを堰き止められた排泄液は、吸収性本体１の端部１５周辺の幅方向中央の領域１６にて、比較的吸収力が保持された吸収体５において速やかに吸収保持され得る。その結果、着用者の姿勢や排泄量にかかわらず、外装体２の胴回りギャザー部２８の襞の隙間から排泄液が漏れ出すことを防止することができる。また、胴回りギャザー部２８が肌に接する領域においても排泄液の肌への付着を防止することができる。なお、図４においては、胴回り弾性部材２７及び胴回り立体ギャザー部２８の襞を省略してしめしている。
【００２６】
図４は、背側部Ｒにおいて弱接着部８１が防漏壁８８を形成した状態を示している。ただし、弱接着部８１及び強接着部８２、８２は、吸収性本体１の背側部Ｒのみに限らず、腹側部Ｆにも配置されていてもよい。これにより、吸収性本体１の腹側部Ｆ及び背側部Ｒの両方において伝い流れる排泄液に対する防漏壁８８、８８を形成できる。ただし、着用者が横になる際は背側を下にする場合が多いことから、少なくとも着用者の背側に対応する位置（吸収性本体１の背側部）に、幅方向Ｘに並ぶ弱接着部８１及び強接着部８２、８２が配置されることが好ましい。
【００２７】
エッジカバーシート８は、図５の態様に示すように、弱接着部８１と吸収性本体１の長手方向外方Ｙ１側で隣接する領域に、弱接着部８１よりも接着強度の強い長手方向強接着部８３を有することが好ましい。この態様により、防漏壁８８の大きさを好適に制御することができる。すなわち、おむつ１０を引き上げた際に、エッジカバーシート８の弱接着部８１の剥がれにつられて、吸収性本体１が配されない外装体２の領域（例えば、ウエスト開口部１２付近）までポケット状の空間部Ｐが広がることを防止することができる。これにより防露壁８８の大きさを好適に制御できる。また、エッジカバーシート８の捲り上がりが過度にならないように抑えることができ、排泄液に対する防漏性と着用者の装着感との両立をより高めることができる。この観点から、長手方向強接着部８３は、吸収性本体１の長手方向外側の外装体１に対応する位置に配されることが好ましい。さらに、長手方向強接着部８３は、吸収性本体１の長手方向外側の外装体１に対応する位置から吸収性本体１の長手方向Ｙの端部１５の一部に及んで配されることがより好ましい。
【００２８】
長手方向強接着部８３における接着強度と弱接着部８１の接着強度の差は、上記の作用をより効果的に発現させる観点から、０．５Ｎ／５０ｍｍ以上が好ましく、０．７Ｎ／５０ｍｍ以上がより好ましく、０．９Ｎ／５０ｍｍ以上が更に好ましい。また、前記の接着強度の差は、接着部の肌触りを悪化させない観点から、１．９Ｎ／５０ｍｍ以下が好ましく、１．７Ｎ／５０ｍｍ以下がより好ましく、１．５Ｎ／５０ｍｍ以下が更に好ましい。具体的には、前記の接着強度の差は、０．５Ｎ／５０ｍｍ以上１．９Ｎ／５０ｍｍ以下が好ましく、０．７Ｎ／５０ｍｍ以上１．７Ｎ／５０ｍｍ以下がより好ましく、０．９Ｎ／５０ｍｍ以上１．５Ｎ／５０ｍｍ以下が更に好ましい。
また、長手方向強接着部８３における接着強度は、上記と同様の観点から、１．３Ｎ／５０ｍｍ以上が好ましく、１．５Ｎ／５０ｍｍ以上がより好ましく、１．７Ｎ／５０ｍｍ以上が更に好ましい。また、長手方向強接着部８３における接着強度は、上記と同様の観点から、２．７Ｎ／５０ｍｍ以下が好ましく、２．５Ｎ／５０ｍｍ以下がより好ましく、２．３Ｎ／５０ｍｍ以下が更に好ましい。具体的には、長手方向強接着部８３における接着強度は、１．３Ｎ／５０ｍｍ以上２．７Ｎ／５０ｍｍ以下が好ましく、１．５Ｎ／５０ｍｍ以上２．５Ｎ／５０ｍｍ以下がより好ましく、１．７Ｎ／５０ｍｍ以上２．３Ｎ／５０ｍｍ以下が更に好ましい。
【００２９】
弱接着部８１は、防漏壁８８による液漏れ防止機能をより確実に発揮させる観点から、吸収性本体１の有する吸収体５の配置位置と重なって配されていることが好ましい。これにより、防漏壁８８にて排泄液の流出を防御した位置から排泄液を素早く吸収体５に吸収させることができる。また、弱接着部８１は、エッジカバーシート８において、吸収性本体１の長手方向外方Ｙ１側よりも長手方向内方Ｙ２側に寄せて配置されることが好ましい。この場合、弱接着部８１は、エッジカバーシート８の長手方向内方Ｙ２側の端縁８Ｅに達していてもよく、端縁８Ｅから長手方向外方Ｙ１側に離間して配されていてもよい。なお、吸収体５の配置位置は、前述の吸収性本体１の幅方向中央の領域１６に含まれる。
【００３０】
弱接着部８１の長手方向Ｙの長さは、防漏壁８８のより確実で効果的な形成の観点から、２ｍｍ以上が好ましく、３ｍｍ以上がより好ましく、４ｍｍ以上が更に好ましい。弱接着部８１の長手方向Ｙの長さは、エッジカバーシート８の捲り上がりが過度にならないように抑える観点から、７ｍｍ以下が好ましく、６ｍｍ以下がより好ましく、５ｍｍ以下が更に好ましい。具体的には、弱接着部８１の長手方向Ｙの長さは、２ｍｍ以上７ｍｍ以下が好ましく、３ｍｍ以上６ｍｍ以下がより好ましく、４ｍｍ以上５ｍｍ以下が更に好ましい。
また、弱接着部８１の幅方向Ｘの長さは、同様の観点から、３０ｍｍ以上が好ましく、４０ｍｍ以上がより好ましく、５０ｍｍ以上が更に好ましい。弱接着部８１の幅方向Ｘの長さは、エッジカバーシート８の捲り上がりが過度にならないように抑える観点から、１００ｍｍ以下が好ましく、９０ｍｍ以下がより好ましく、８０ｍｍ以下が更に好ましい。具体的には、弱接着部８１の幅方向Ｘの長さは、３０ｍｍ以上１００ｍｍ以下が好ましく、４０ｍｍ以上９０ｍｍ以下がより好ましく、５０ｍｍ以上８０ｍｍ以下が更に好ましい。
さらに、弱接着部８１が吸収体５の配置位置と重なっている領域の弱接着部８１全体の領域に占める面積割合は、防漏壁８８による液漏れ防止機能をより高める観点から、８０％以上が好ましく、９０％以上がより好ましく、１００％が更に好ましい。
【００３１】
なお、上記の弱接着部８１の長手方向Ｙ及び幅方向Ｘの長さ並びに面積割合は、おむつ１０をサイドシール部１１、１１において破断し、各部を伸長させた展開状態で平面視して測定される値である。
【００３２】
一方、弱接着部８１の幅方向両隣に配されている強接着部８２は、吸収性本体１の有する立体ギャザー部６２の構成部材の配置位置と重なって配されていることが好ましい。これにより、前述した空間部Ｐが、倒伏して接着された立体ギャザー部６２の構成部材（サイドシート６及び弾性部材６１）にまで形成されることを防ぐことができる。加えて、エッジカバーシート８の弱接着部８がなす防露壁８８と、立体ギャザー部６２の起立する部分とが吸収性本体１の腹側部Ｆ及び背側部Ｒにおいて隣接して配され、両者の防漏機能を連動させて発揮させることができる。例えば、立体ギャザー部６２において排泄液の伝い流れを防御しながら、更に排泄液が長手方向Ｙに拡散する場合でも、隣接する防漏壁８８内の空間部Ｐで捕捉しやすくなる。これにより、吸収性本体１の両側に沿って長手方向Ｙに拡散した排泄液を、幅方向中央の領域１６へと導き、その位置の比較的吸収力が保持された吸収体５の部位によって迅速に吸収保持することができる。
【００３３】
強接着部８２の長手方向Ｙの長さ、幅方向Ｘの長さは、図３〜５に示す態様のものに限定されず、適宜設定することができる。例えば、図６（Ａ）に示すように、強接着部８２の長手方向Ｙの長さは、弱接着部８１の長手方向Ｙの長さと同じにされていてもよい。また、図６（Ｂ）に示すように、強接着部８２の幅方向Ｘの長さは、吸収性本体１に対応する位置から幅方向外方の外装体１に対応する位置にまで及ぶ長さであってもよい（以下に示す態様においても同様）。この場合、強接着部８２は、吸収性本体１及び外装体１の両方に対して強い接着強度で接着されることになる。これにより、弱接着部８１によって形成される防露壁８８内の空間部Ｐの両脇を確実に閉じておくことができ好ましい。
【００３４】
また、エッジカバーシート８は、図７の態様に示すように、弱接着部８１と吸収性本体１の長手方向内方Ｙ２側で隣接する領域に、弱接着部８１よりも接着強度が弱い易剥離部８４を有していることが好ましい。この態様の場合、易剥離部８４は、エッジカバーシート８の長手方向内方Ｙ２側の端縁８Ｅに接して配置される。弱接着部８１は、易剥離部８４の分だけ端縁８Ｅから長手方向外方Ｙ１側に離間して配されることとなる。すなわち、エッジカバーシート８の長手方向内方Ｙ２側の端縁８Ｅから長手方向外方Ｙ１に向かって、易剥離部８４及び弱接着部８１が順に配されている。これにより、二段階でエッジカバーシート８を剥がし、防漏壁８８の大きさを好適に制御することができる。また、エッジカバーシート８の捲り上がりが過度にならないように抑えることができ、排泄液に対する防漏性と着用者の装着感との両立をより高めることができる。この場合においても、前述した長手方向強接着部８３が配されていることが好ましい。
【００３５】
易剥離部８４は、接着剤が塗工された部分であってもよく、接着剤が塗工されていない未接着部であってもよい。防漏壁８８をより確実に形成する観点から、易剥離部８４は未接着部であることが好ましい。未接着部の易剥離部８４が、おむつ１０の引き上げの際に、エッジカバーシート８の剥離の契機として作用する。また、易剥離部８４が接着剤の塗工された部分である場合、その接着強度は、０．５Ｎ／５０ｍｍ以下が好ましく、０．４Ｎ／５０ｍｍ以下がより好ましく、０．３Ｎ／５０ｍｍ以下が更に好ましい。また、この場合の易剥離部８４の接着強度は、おむつ１０の引き上げの際に、エッジカバーシート８の剥離の契機として作用する観点から、０．１Ｎ／５０ｍｍ以上が好ましく、０．１５Ｎ／５０ｍｍ以上がより好ましく、０．２Ｎ／５０ｍｍ以上が更に好ましい。具体的には、易剥離部８４の接着強度は、０．１Ｎ／５０ｍｍ以上０．５Ｎ／５０ｍｍ以下が好ましく、０．１５Ｎ／５０ｍｍ以上０．４Ｎ／５０ｍｍ以下がより好ましく、０．２Ｎ／５０ｍｍ以上０．３Ｎ／５０ｍｍ以下が更に好ましい。
【００３６】
易剥離部８４の長手方向Ｙの長さは、防漏壁８８のより確実で効果的な形成の観点から、３ｍｍ以上が好ましく、５ｍｍ以上がより好ましく、７ｍｍ以上が更に好ましい。易剥離部８４の長手方向Ｙの長さは、外観を悪化させない観点から、１５ｍｍ以下が好ましく、１３ｍｍ以下がより好ましく、１０ｍｍ以下が更に好ましい。具体的には、易剥離部８４の長手方向Ｙの長さは、３ｍｍ以上１５ｍｍ以下が好ましく、５ｍｍ以上１３ｍｍ以下がより好ましく、７ｍｍ以上１０ｍｍ以下が更に好ましい。
易剥離部８４が上記の長手方向Ｙの長さを有する場合、弱接着部８１の長手方向Ｙの長さは、前述した好ましい範囲内において、吸収性本体１に対応する領域（吸収性本体１の長手方向Ｙの端縁を越えない領域）に納まる範囲で適宜設定できる。
【００３７】
易剥離部８４の幅方向Ｘの長さは、弱接着部８１の幅方向Ｘの長さと同じか又はそれ未満であることが好ましい。易剥離部８４の幅方向Ｘの長さが弱接着部８１の幅方向Ｘの長さ未満である場合、易剥離部８４は吸収体５の配置位置と重なって配されていることが好ましい。また、易剥離部８４は、吸収性本体１の幅方向の中央から左右に延びて配されていることが好ましい。具体的には、易剥離部８４の幅方向Ｘの長さは、防漏壁８８のより確実で効果的な形成の観点から、３０ｍｍ以上が好ましく、４０ｍｍ以上がより好ましく、５０ｍｍ以上が更に好ましい。易剥離部８４の幅方向Ｘの長さは、おむつ１０の引き上げの際に、エッジカバーシート８の剥離の契機として作用する観点から、７０ｍｍ以下が好ましく、６５ｍｍ以下がより好ましく、６０ｍｍ以下が更に好ましい。より具体的には、易剥離部８４の幅方向Ｘの長さは、３０ｍｍ以上７０ｍｍ以下が好ましく、４０ｍｍ以上６５ｍｍ以下がより好ましく、５０ｍｍ以上６０ｍｍ以下が更に好ましい。
【００３８】
加えて、図８の態様に示すように、弱接着部８１の幅方向両隣に、エッジカバーシート８と吸収性本体１との固定部１７、１７が一対配されていることが好ましい。固定部１７は、エッジカバーシート８を平面視して筋状にされており、筋状の部分が前記吸収性本体の長手方向に対して傾斜して配されている。筋状に延びる固定部１７は端縁１７Ａと端縁１７Ｂを有する。端縁１７Ａが吸収性本体１の長手方向外方Ｙ１側に位置し、端縁１７Ｂが吸収性本体１の長手方向内方Ｙ２側に位置する。吸収性本体１の長手方向外方Ｙ１側に位置する固定部１７の端部１７Ａが、吸収性本体１の長手方向内方Ｙ２側に位置する固定部１の端部１７Ｂよりも、吸収性本体の幅方向中央側に配置されている。
より具体的には、エッジカバーシート８を平面視した際に次の配置とされている。すなわち、一対の固定部１７、１７は、弱接着部８１の領域を挟んで幅方向Ｘの両側に配置されている。各固定部１７の端部１７Ａ、１７Ａ同士が対向し、端部１７Ｂ、１７Ｂ同士が対向して配置されている。端部１７Ａ、１７Ａ間の離間距離が、端部１７Ｂ、１７Ｂ間の離間距離よりも短くされている。
この態様により、エッジカバーシート８の弱接着部８がＵ字状に剥がれやすく（すなわち、吸収性本体１の長手方向外方Ｙ１側に向かって剥がれる面積が狭まりやすく）、排泄液に対する防漏性を高める。また、エッジカバーシート８の捲り上がりが過度にならないように抑えることができ、排泄液に対する防漏性と着用者の装着感との両立をより高めることができる。
【００３９】
固定部１７は、上記作用の観点から、エッジカバーシート８の強接着部８２の配置位置と重なって配されることが好ましい。また、固定部１７は、吸収性本体１の有する立体ギャザー部６２の構成部材の配置位置と重なって配されていることが好ましい。
【００４０】
固定部１７は、接着剤をエッジカバーシート８と吸収性本体１との間に塗布して形成してもよく、エッジカバ―シート８と吸収性本体１とをエンボス処理により圧着して形成してもよい。接着剤により形成する場合、固定部１７はエッジカバーシート８の強接着部８２を形成する接着剤の塗工部からなってもよく、強接着部８２を形成する接着剤の塗工部とは別の塗工部であってもよい。固定部１７が強接着部８２を形成する接着剤の塗工部からなる場合、固定部１７の形状に沿って強接着部８２が形成されることとなる。エンボス処理により形成する場合、固定部１７は、エッジカバーシート８の強接着部８２を形成する接着剤の塗工部とは別のものとして形成される。
固定部１７は、エンボス処理による圧着部であると、接着剤のはみ出しを考慮する必要がなく、エッジカバーシート８の長手方向内方Ｙ２側の端縁８Ｅにまで形成することができるため好ましい。
【００４１】
また、弱接着部８１は、吸収性本体１の有する吸収体５の配置位置と重なり、しかも、吸収体５の剛性が相対的に低い部位の配置位置と重なる態様を有することが好ましい。具体的には、弱接着部８１と重なる位置に配置された吸収体５の部位５Ａの剛性が、部位５Ａと吸収性本体１の長手方向内容Ｙ２側で隣接する吸収体５の部位５Ｂの剛性よりも低いことが好ましい。例えば、図９（Ａ）の態様に示すように、吸収体５の厚みを、吸収性本体１の長手方向内方Ｙ２側から長手方向外方Ｙ１側へと低減させた形状とすることが挙げられる。低減の程度としては、吸収体の吸収性を保持する観点から、図９（Ａ）の態様に示すように緩やかな傾斜であることが好ましい。また、厚みを低減する傾斜は、吸収体５の腹側部及び背側部において吸収体５の長手方向の長さの３分の１の範囲で形成されていることが好ましい。
【００４２】
この場合、エッジカバーシート８の弱接着部８１に対応する吸収体５の剛性が相対的に低い。これにより、図９（Ｂ）に示すように、外装体２の胴回り弾性部材２７の収縮力によって弱接着部８１がより収縮しやすくなり、前述の防漏壁８８が着用者の肌側に立ち上がりやすくなる。また、乳幼児など着用者の動作に合わせて外装体２が伸縮し、これに連動して弱接着部８１による防漏壁８８が着用者の肌に追従して密着しやすくなる。これにより、立ち上がった防漏壁８８と肌との間に隙間が出来にくく、より漏れが生じ難くなる。
【００４３】
弱接着部８１に対応する吸収体５の剛性の低い部位５Ａは、上記の吸収体の厚みの他、吸収体の坪量、密度などによって形成することができる。
すなわち、弱接着部８１と重なる位置に配置された吸収体５の部位５Ａの坪量を、部位５Ａと吸収性本体１の長手方向内方Ｙ２側で隣接する吸収体５の部位５Ｂの坪量よりも小さくすることが挙げられる。また、弱接着部８１と重なる位置に配置された吸収体５の部位５Ａの密度を、部位５Ａと吸収性本体１の長手方向内方Ｙ２側で隣接する吸収体５の部位５Ｂの密度よりも小さくすることが挙げられる。
また、弱接着部８１と重なる位置に配置された吸収体５の部位５Ａに、吸収体５を構成する吸収材料（パルプ繊維や高吸収性ポリマー材など）を備えた吸収性コア５１の配されていない部位を含ませる態様が挙げられる（図示せず）。
【００４４】
さらに、おむつ１０の弱接着部８１に対応する領域には、エッジカバーシート８を幅方向Ｘに伸縮させる弾性部材が配されない態様が好ましい。弱接着部８１よりも吸収性本体１の長手方向外方Ｙ１側に、エッジカバーシート８を幅方向Ｘに伸縮させる弾性部材が配されていることが好ましい。ここで言う、おむつ１０の弱接着部８１に対応する領域とは、弱接着部８１と厚み方向に重なるおむつ１０の領域を言いう。この領域には、例えば、エッジカバーシート８の弱接着部８１自体のほか、エッジカバーシート８と吸収性本体１とに挟まれた部分、吸収性本体１、吸収性本体１と外装体２とに挟まれた部分及び外装体２が含まれる。また、幅方向Ｘに伸縮させる弾性部材とは、伸長した状態で部材に接合された弾性部材を言う。伸長した状態で部材に接合されることによって、弾性部材の伸縮に伴ってその部材を伸縮させる。しかし、伸長した状態で部材に接合された弾性部材が途中で切断され連続しない状態となっていると、その弾性部材は切断部分で伸長状態になく部材を伸縮させることができない。
伸長状態の弾性部材が、おむつ１０の弱接着部８１に対応する領域に配されず、弱接着部８１よりも吸収性本体１の長手方向外方Ｙ１側に配されることが好ましい。なお、途中で切断されていて連続しない状態で収縮した状態の弾性部材が弱接着部８１の位置にあったとしても、この場合、おむつ１０の弱接着部８１に対応する領域には、エッジカバーシート８を幅方向Ｘに伸縮させる弾性部材が配されていないこととなる。
【００４５】
具体的には、本実施形態において、図１０の態様に示すように、外装体２を伸縮させる腰回り弾性部材２７が挙げられる。腰回り弾性部材２７は、外装体２（腹側外装部２１と背側外装部２２）を伸縮させ、外装体２に接合されたエッジカバーシート８を伸縮させる。この腰回り弾性部材２７について、外装体２の弱接着部８１に対応する領域において、切断し連続しない状態にした腰回り弾性部材２７Ｎが配されることが好ましい。加えて、エッジカバーシート８の弱接着部８１よりも吸収性本体１の長手方向外方Ｙ１側に配される腰回り弾性部材２７を切断させないで連続した状態にしておくことが好ましい。
【００４６】
これにより、弱接着部８１よりも吸収性本体１の長手方向外方Ｙ１側のエッジカバーシート８がより収縮しやすく、防漏壁８８がより立ち上がりやすくなる。弾性部材によって防漏溝８８がより立ち上りやすいことにより、乳幼児など着用者の動作に合わせて防漏壁８８が着用者の肌に追従して密着しやすい。これにより、立ち上がった防漏壁８８と肌との間に隙間が出来にくく、より漏れが生じ難くなる。
【００４７】
また、上記の弾性部材の配置について、弱接着部８１よりも吸収性本体１の長手方向外方Ｙ１側に配された弾性部材のうち、最も強い収縮力を有する弾性部材が弱接着部８１に最も近い位置に配される態様が好ましい。具体的には、本実施形態において、図１０の態様に示すように、弱接着部８１に最も近い位置にある腰回り弾性部材２７Ｇが最も強い収縮力を有することが好ましい。これにより、弾性部材による上記の作用をより効果的に発揮させることができる。
【００４８】
図１０に示す態様において、前述の、吸収体５の剛性の態様を有することがより好ましい。すなわち、前記弾性部材の配置に加え、弱接着部８１と重なる位置に配置された吸収体５の部分５Ａが、該部分５Ａと吸収性本体１の長手方向内方Ｙ２側で隣接する吸収体の部位５Ｂよりも小さいことがより好ましい。
【００４９】
本実施形態において、エッジカバーシート８は、図１１（Ａ）の態様に示すように、吸収性本体１の長手方向内方Ｙ２側に、折り返し端部８９を有することが好ましい。折り返し端部８９は、エッジカバーシート８の長手方向内方Ｙ２側の端縁８Ｅ（図５参照）を含む周辺部分を、折り目８Ｆを軸にして長手方向外方Ｙ１側に折り返した部分である。折り返し端部８９はエッジカバーシート８の弱接着部８１を含まない部分であり、折り目８Ｆが弱接着部８１の縁に隣接して配されていることが好ましい。この折り返し端部８９は、エッジカバーシート８の幅方向Ｘ全体にあってもよく、一部にあってもよい。少なくとも折り返し端部８９は弱接着部８１に対応する領域に配されていることが好ましい。
折り返し端部８９は、弱接着部８１の幅方向両隣にて固定されていることが好ましい。この固定は、この種の物品において通常用いられる方法によって形成することができ、例えば、接着者による方法、エンボス処理による方法が挙げられる。また、この固定は、エッジカバーシート８を接着する接着剤が兼ねていてもよく、前述した固定部１７が兼ねていてもよい。特に、前記固定は、吸収性本体１の有する立体ギャザー部６２の構成部材と重なる位置において形成されることが好ましい。
これにより、エッジカバーシート８の弱接着部８１がより捲れやすく、防漏壁８８が立ち上がりやすくなる。その結果、立ち上がった防漏壁８８と肌との間に隙間が出来にくく、より漏れが生じ難くなる。
【００５０】
さらに、上記の折り返し端部８９による作用をより効果的に発揮させる観点から、図１１（Ｂ）の態様に示すように、折り返し端部８９と弱接着部８１との間に、特に折り目８Ｆ近傍に、エッジカバーシートを幅方向Ｘに伸縮させる弾性部材８Ｇが配されることが好ましい。この場合、弾性部材８Ｇは、伸長した状態で、折り目８Ｆに沿って幅方向Ｘに接合される。また、弾性部材８Ｇは、折り返し端部８９の幅方向Ｘの長さに合わせて配されることが好ましい。
【００５１】
さらに本実施形態において、エッジカバーシート８に関する下記の態様が好ましい。
【００５２】
弱接着部８１を剥がれやすくする観点から、弱接着部８１が接着されている吸収性本体１の表面に、接着強度低下剤が含有されていることが好ましい。前記接着強度低下剤としては、この種の物品において通常用いられるものと特に制限なく採用することができる。例えば、フッ素系離形剤、シリコーン系離形剤、ワセリンなどの固形離型剤などが挙げられる。
【００５３】
前記接着強度低下剤が親水性油剤に含まれることが好ましい。これにより、エッジカバーシート８が不織布からなる場合に、該不織布に親水性と離形性とを一度に付与することができ、加工性が向上すると共に、繊維に均一に付着できるため、前述の防漏壁８８を良好に形成する効果が高まる。特に、親水性油剤に均一に懸濁させる観点から、前記接着強度低下剤は、シリコーン化合物からなることが好ましい。
【００５４】
また、エッジカバーシート８のバルクソフトネスは、７ｃＮ以下が好ましく、６．５ｃＮ以下がより好ましく、６ｃＮ以下が更に好ましい。これにより、エッジカバーシート８の剛性が抑えられ、エッジカバーシート８が防漏壁８８を形成しても着用者への肌触りが悪化しにくい。また、エッジカバーシート８のバルクソフトネスは、おむつ１０の引き上げ時における剥離性を高める観点から、４ｃＮ以上が好ましく、４．５ｃＮ以上がより好ましく、５ｃＮ以上が更に好ましい。具体的には、エッジカバーシート８のバルクソフトネスは、４ｃＮ以上７ｃＮ以下が好ましく、４．５ｃＮ以上６．５ｃＮ以下がより好ましく、５ｃＮ以上６ｃＮ以下が更に好ましい。
【００５５】
（バルクソフトネスの測定方法）
エッジカバーシート８のバルクソフトネスは下記の方法によって測定することができる。すなわち、２２℃６５％ＲＨ環境下にて、エッジカバーシート８をおむつの幅方向に１５０ｍｍ、おむつの身丈方向に３０ｍｍ切り出し、直径４５ｍｍのリング状に、ステープラーを用いて端部を上下２箇所で止める。このときステープラーの芯は幅方向に長くなるようにする。引張試験機（例えば、オリエンテック社製テンシロン引張り試験機「ＲＴＡ−１００」）を用いて、試料台の上に前記リングを筒状に立て、上方から台とほぼ平行な平板にて圧縮速度１０ｍｍ／分の速度で圧縮していった際の最大荷重を測定し、この測定値をバルクソフトネスとする。
【００５６】
また、エッジカバーシート８の弱接着部８１が吸収性本体１から剥離した状態で、弱接着部８１のしわのピッチが、前述の長手方向強接着部８３のしわのピッチよりも大きいことが好ましい。これにより、防漏壁８８が大きな襞になるため、肌に密着し、漏れ抑制効果が高まる。
なお、「しわのピッチ」とは、防漏壁８８が形成された後に生じる「しわ」の肌当接面側に突出する部分の頂部同士の幅方向Ｘにおける距離をいう。また、前記「しわ」は、エッジカバーシート８が接着されているおむつ１０の腹側部１０Ｆ及び背側部１０Ｒが収縮した状態におけるものを言う。「収縮した状態」とは、おむつ１０に負荷をかけずに平面上に平置きした状態において、腹側部１０Ｆ及び背側部１０Ｒを幅方向Ｘに最大限伸長させた状態から幅方向Ｘに収縮させた状態を言う。
【００５７】
また、エッジカバーシート８の弱接着部８１が吸収性本体１から剥離した状態で、弱接着部８１のしわの深さが、前述の長手方向強接着部８３のしわの深さよりも大きいことが好ましい。これにより、防漏壁８８が大きな襞になるため、肌に密着し、漏れ抑制効果が高まる。
なお、「しわの深さ」とは、防漏壁８８が形成された後に生じる「しわ」の肌当接面側に突出する部分の頂部と底部との間の、エッジカバーシート８の厚み方向における距離をいう。また、前記「しわ」は、前述の「収縮した状態」におけるものを言う。
【００５８】
（しわのピッチの測定方法）
まず、おむつ１０を身丈方向（長手方向Ｙ）の上方に引き上げてエッジカバーシート８の弱接着部８１を剥離させたものを、図２に示すように、展開状態で、かつ、伸長状態にする。次に、おむつ１０の腹側部１０Ｆ及び背側部１０Ｒそれぞれにおいて、剥離した弱接着部８１の存在領域を測定範囲とする。腹側部１０Ｆにおいて、剥離した弱接着部８１の長手方向Ｙの中央に、幅方向Ｘへ直線状に延びる赤色のラインを引く。また、長手方向強接着部８３の長手方向Ｙの中央に、幅方向Ｘへ直線状に延びる赤色のラインを引く。同様に、背側部１０Ｆにおいて、剥離した弱接着部８１の長手方向Ｙの中央及び長手方向強接着部８３の長手方向Ｙの中央に、幅方向Ｘへ直線状に延びる赤色のラインを引く。
この状態のおむつ１０を常温（室温約１８〜２２℃、相対湿度５５〜６５％）にて２４時間放置した後、おむつ１０を伸長状態から解放して、腹側部１０Ｆ及び背側部１０Ｒを幅方向Ｘに収縮させる。これにより、平面状に平置きされた状態のおむつ１０の弱接着部８１及び長手方向強接着部８３に複数のしわが形成される。そのままの状態でしばらく放置した後、測定範囲の赤色のライン上に形成された長手方向Ｙに延出するしわの頂部同士の間隔を、例えば定規やノズキ等で測定する。弱接着部８１及び強接着部８３それぞれについて、測定した間隔のうち最大となる間隔が、剥離した状態の弱接着部８１のしわのピッチ、長手方向強接着部８３のしわのピッチとなる。
【００５９】
（しわの深さの測定方法）
前記（しわのピッチの測定方法）において、剥離した状態の弱接着部８１のしわのピッチとして特定した「しわ」、及び、長手方向強接着部８３のしわのピッチとして特定した「しわ」のそれぞれについて、例えば定規やノズキ等を用いて、エッジカバーシートの肌当接面側の厚み方向における頂部と底部との間の距離を測定する。測定した距離がそれぞれ、剥離した状態の弱接着部８１のしわの深さ、及び長手方向強接着部８３のしわの深さとなる。測定した深さのうち最大となる深さが、剥離した状態の弱接着部８１のしわの深さ、長手方向強接着部８３のしわの深さとなる。
【００６０】
本実施形態のパンツ型おむつ１０において、上記に挙げた態様をそれぞれ独立に具備する場合に限らず、いくつかを適宜組み合わせて具備するものとしてもよい。
【００６１】
以上のとおり、本実施形態のパンツ型おむつ１０は、身丈方向に引き上げ時にエッジカバーシート８の弱接着部８１が剥離して、着用者の肌面に向けて立ち上がる防漏壁８８を形成する。これにより、本実施形態のパンツ型おむつ１０は、尿や軟便などの排泄液が腹側、背側の端部から漏れるのを効果的に抑制することができる。
【００６２】
本実施形態のパンツ型おむつ１０は、防漏壁８８を形成できる弱接着部８１を備えたエッジカバーシート８を有する限り、外装体２の形状は適宜別の形態のものにしてもよい。例えば、図１２に示すような外装体２Ｂであってもよい。外装体２Ｂは、おむつ１０の腹側部１０Ｆ、股下部１０Ｃ及び背側部１０Ｒの全体に亘る大きさを有する。また、外装体２Ｂは、展開状態で、股下部１０Ｃおける幅方向の長さを腹側部１０Ｆ及び股下部１０Ｃにおける幅方向の長さよりも短くした、括れた平面形状を有する。前述したエッジカバーシート８は、外装体２Ｂとは独立した不織布からあるものであってもよく、外装体２Ｂが長手方向外方Ｙ１に延出して折り返されたものであってもよい。
【００６３】
本発明の吸収性物品は、上記の実施形態のパンツ型おむつのほか、テープ型おむつであってもよく、生理用ショーツ、ショーツ型ナプキン、失禁パンツなどの着用者の腹側に配される腹側部、着用者の背側に配される背側部を有する吸収性物品を含む概念である。また、上記の構成に用途や機能に合わせ他の部材を適宜組み込んでもよい。
【００６４】
上述した実施形態に関し、本発明はさらに以下の吸収性物品を開示する。
【００６５】
＜１＞
縦長の吸収性本体と、該吸収性本体の非肌当接面側に配された外装体とを備えた吸収性物品であって、
前記吸収性本体は、着用者の腹側、股下及び背側がつながる方向に相当する長手方向と、該長手方向に直交する幅方向とを有し、
前記吸収性本体の肌当接面側には、該吸収性本体の前記長手方向の端部周辺を前記幅方向に被覆するエッジカバーシートが配されており、
前記エッジカバーシートは、前記吸収性本体との弱接着部と強接着部とを有し、前記弱接着部が前記吸収性本体の幅方向中央の領域に配され、前記弱接着部の幅方向両隣に前記強接着部が配されている、吸収性物品。
【００６６】
＜２＞
前記エッジカバーシートは、前記弱接着部と前記吸収性本体の長手方向外方側で隣接する領域に、前記弱接着部よりも接着強度の強い長手方向強接着部を有する前記＜１＞に記載の吸収性物品。
＜３＞
前記弱接着部が、前記吸収性本体の有する吸収体の配置位置と重なって配されている前記＜１＞又は＜２＞に記載の吸収性物品。
＜４＞
前記弱接着部の幅方向両隣に配されている前記強接着部が、前記吸収性本体の有する立体ギャザー部の構成部材の配置位置と重なって配されている前記＜１＞〜＜３＞のいずれか１に記載の吸収性物品。
【００６７】
＜５＞
前記エッジカバーシートは、前記弱接着部と前記吸収性本体の長手方向内方側で隣接する領域に、前記弱接着部よりも接着強度の弱い易剥離性部を有する前記＜１＞〜＜４＞のいずれか１に記載の吸収性物品。
＜６＞
前記易剥離性部が、未接着接部である前記＜５＞に記載の吸収性物品。
＜７＞
前記弱接着部の幅方向両隣に、前記エッジカバーシートと前記吸収性本体とを接合する筋状の固定部が、前記吸収性本体の長手方向に対して傾斜して配されており、
前記吸収性本体の長手方向外方側に位置する前記固定部の端部が、前記吸収性本体の長手方向内方側に位置する前記固定部の端部よりも、前記吸収性本体の幅方向中央側に配置されている＜１＞〜＜６＞のいずれか１に記載の吸収性物品。
【００６８】
＜８＞
前記弱接着部が、前記吸収性本体の有する吸収体の配置位置と重なって配されており、前記弱接着部と重なる位置に配置された前記吸収体の部位の剛性が、該部位と前記吸収性本体の長手方向内方側で隣接する前記吸収体の部位の剛性よりも低い、前記＜１＞〜＜７＞のいずれか１に記載の吸収性物品。
＜９＞
前記弱接着部と重なる位置に配置された前記吸収体の部位の坪量が、該部位と前記吸収性本体の長手方向内方側で隣接する前記吸収体の部位の坪量よりも小さい、前記＜８＞に記載の吸収性物品。
＜１０＞
前記弱接着部と重なる位置に配置された前記吸収体の部位の密度が、該部位と前記吸収性本体の長手方向内方側で隣接する前記吸収体の部位の密度よりも小さい、前記＜８＞に記載の吸収性物品。
＜１１＞
前記弱接着部と重なる位置に配置された前記吸収体の部位に、前記吸収体を構成する吸収性材料を備えた吸収性コアの配されていない部位が含まれている、前記＜８＞に記載の吸収性物品。
【００６９】
＜１２＞
前記吸収性物品の前記弱接着部に対応する領域には、前記エッジカバーシートを前記幅方向に伸縮させる弾性部材が配されておらず、前記弱接着部よりも前記吸収性本体の長手方向外方側に、前記エッジカバーシートを前記幅方向に伸縮させる弾性部材が配されている、前記＜１＞〜＜１１＞のいずれか１に記載の吸収性物品。
＜１３＞
前記弱接着部よりも前記吸収性本体の長手方向外方側に配された前記弾性部材のうち、最も強い収縮力を有する弾性部材が前記弱接着部に最も近い位置に配されている、前記＜１２＞に記載の吸収性物品。
【００７０】
＜１４＞
前記エッジカバーシートは、前記吸収性本体の長手方向内方側に、折り返し端部を有し、前記折り返し端部が、前記弱接着部の幅方向両隣にて固定されている、前記＜１＞〜＜１３＞のいずれか１に記載の吸収性物品。
＜１５＞
前記折り返し端部と前記弱接着部との間に、前記エッジカバーシートを前記幅方向に伸縮させる弾性部材が配されている前記＜１４＞に記載の吸収性物品。
【００７１】
＜１６＞
前記弱接着部の前記長手方向の長さが２ｍｍ以上７ｍｍ以下であり、好ましくは３ｍｍ以上、より好ましくは４ｍｍ以上、また、好ましくは６ｍｍ以下、より好ましくは５ｍｍ以下である前記＜１＞〜＜１５＞のいずれか１に記載の吸収性物品。
＜１７＞
前記弱接着部の前記幅方向の長さが３０ｍｍ以上１００ｍｍ以下であり、好ましくは４０ｍｍ以上、より好ましくは５０ｍｍ以上、また、好ましくは９０ｍｍ以下、より好ましくは８０ｍｍ以下である前記＜１＞〜＜１６＞のいずれか１に記載の吸収性物品。
【００７２】
＜１８＞
前記強接着部における接着強度と前記弱接着部における接着強度との差が０．５Ｎ／５０ｍｍ以上１．９Ｎ／５０ｍｍ以下であり、好ましくは０．７Ｎ／５０ｍｍ以上、より好ましくは０．９Ｎ／５０ｍｍ以上、また、好ましくは１．７Ｎ／５０ｍｍ以下、より好ましくは１．５Ｎ／５０ｍｍ以下である前記＜１＞〜＜１７＞のいずれか１に記載の吸収性物品。
＜１９＞
前記強接着部における接着強度が１．３Ｎ／５０ｍｍ以上２．７Ｎ／５０ｍｍ以下であり、好ましくは１．５Ｎ／５０ｍｍ以上、より好ましくは１．７Ｎ／５０ｍｍ以上、また、好ましくは２．５Ｎ／５０ｍｍ以下、より好ましくは２．３Ｎ／５０ｍｍ以下である前記＜１＞〜＜１８＞のいずれか１に記載の吸収性物品。
＜２０＞
前記弱接着部における接着強度が０．２Ｎ／５０ｍｍ以上０．８Ｎ／５０ｍｍ以下であり、好ましくは０．３Ｎ／５０ｍｍ以上、より好ましくは０．４Ｎ／５０ｍｍ以上、また、好ましくは０．７Ｎ／５０ｍｍ以下、より好ましくは０．６Ｎ／５０ｍｍ以下である前記＜１＞〜＜１９＞のいずれか１に記載の吸収性物品。
【００７３】
＜２１＞
前記弱接着部が接着されている前記吸収性物品の表面に、接着強度低下剤が含有されている前記＜１＞〜＜２０＞のいずれか１に記載の吸収性物品。
＜２２＞
前記接着強度低下剤が親水化油剤に含まれている前記＜２１＞に記載の吸収性物品。
＜２３＞
前記接着強度低下剤がシリコーン化合物からなる前記＜２１＞に記載の吸収性物品。
【００７４】
＜２４＞
前記エッジカバーシートのバルクソフトネスが４ｃＮ以上７ｃＮ以下であり、好ましくは４．５ｃＮ以上、より好ましくは５ｃＮ以上、また、好ましくは６．５ｃＮ以下、より好ましくは６ｃＮ以下である前記＜１＞〜＜２３＞のいずれか１に記載の吸収性物品。
＜２５＞
前記エッジカバーシートは、前記弱接着部と前記吸収性本体の長手方向外方側で隣接する領域に、前記弱接着部よりも接着強度の強い長手方向強接着部を有し、前記弱接着部が前記吸収性本体から剥離した状態で、該弱接着部のしわのピッチが、前記長手方向強接着部のしわのピッチよりも大きい、前記＜１＞〜＜２４＞のいずれか１に記載の吸収性物品。
＜２６＞
前記エッジカバーシートは、前記弱接着部と前記吸収性本体の長手方向外方側で隣接する領域に、前記弱接着部よりも接着強度の強い長手方向強接着部を有し、前記弱接着部が前記吸収性本体から剥離した状態で、該弱接着部のしわの深さが、前記長手方向強接着部のしわの深さよりも深い、前記＜１＞〜＜２５＞のいずれか１に記載の吸収性物品。
＜２７＞
前記長手方向強接着部における接着強度と前記弱接着部における接着強度との差が０．５Ｎ／５０ｍｍ以上１．９Ｎ／５０ｍｍ以下であり、好ましくは０．７Ｎ／５０ｍｍ以上、より好ましくは０．９Ｎ／５０ｍｍ以上、また、好ましくは１．７Ｎ／５０ｍｍ以下、より好ましくは１．５Ｎ／５０ｍｍ以下である前記＜２５＞又は＜２６＞に記載の吸収性物品。
＜２８＞
前記長手方向強接着部における接着強度が１．３Ｎ／５０ｍｍ以上２．７Ｎ／５０ｍｍ以下であり、好ましくは１．５Ｎ／５０ｍｍ以上、より好ましくは１．７Ｎ／５０ｍｍ以上、また、好ましくは２．５Ｎ／５０ｍｍ以下、より好ましくは２．３Ｎ／５０ｍｍ以下である前記＜２５＞〜＜２７＞のいずれか１に記載の吸収性物品。
【００７５】
＜２９＞
前記エッジカバーシートが、前記外装体とは独立した不織布からなる前記＜１＞〜＜２８＞のいずれか１に記載の吸収性物品。
＜３０＞
前記弱接着部が、前記吸収性物品の着用者の背側に対応する位置に配されている＜１＞〜＜２９＞のいずれか１に記載の吸収性物品。
【００７６】
本発明をその実施形態および実施例とともに説明したが、我々は特に指定しない限り我々の発明を説明のどの細部においても限定しようとするものではなく、添付の請求の範囲に示した発明の精神と範囲に反することなく幅広く解釈されるべきであると考える。
【符号の説明】
【００７７】
１  吸収性本体
１５  吸収性本体の長手方向の端部
１６  吸収性本体の幅方向中央の領域
１７  固定部
１７Ａ、１７Ｂ  固定部の端部
２、２Ｂ  外装体
２１  腹側外装体
２２  背側外装体
２３  内層シート
２４  外層シート
２７  胴回り弾性部材
２８  胴回りギャザー部
３  表面シート
４  裏面シート
５  吸収体
５１  吸収性コア
５２  コアラップシート
５Ａ  吸収体の剛性の低い部位
５Ｂ  吸収体の剛性の高い部位
６  サイドシート
６１  弾性部材
６２  立体ギャザー部
６３  弾性部材
６４  レッグギャザー部
８  エッジカバーシート
８１  弱接着部
８２  強接着部
８３  長手方向強接着部
８４  易剥離部
８Ｅ  エッジカバーシートの長手方向内方側の端縁
８８  防漏壁
８９  折り返し端部
Ｐ  ポケット状の空間部
１０  パンツ型おむつ
１０Ｆ  パンツ型おむつの腹側部
１０Ｃ  パンツ型おむつの股下部
１０Ｒ  パンツ型おむつの背側部
Ｆ  吸収性本体の腹側部
Ｃ  吸収性本体の股下部
Ｒ  吸収性本体の背側部
Ｙ  吸収性本体の長手方向（又はおむつ及び外装体の身丈方向）
Ｙ１  吸収性本体の長手方向外方
Ｙ２  吸収性本体の長手方向内方
Ｘ  吸収性本体の幅方向（又はおむつ及び外装体の幅方向）
【図１】
2020089973.tif 000003
【図２】
2020089973.tif 000004
【図３】
2020089973.tif 000005
【図４】
2020089973.tif 000006
【図５】
2020089973.tif 000007
【図６】
2020089973.tif 000008
【図７】
2020089973.tif 000009
【図８】
2020089973.tif 000010
【図９】
2020089973.tif 000011
【図１０】
2020089973.tif 000012
【図１１】
2020089973.tif 000013
【図１２】
2020089973.tif 000014
【手続補正書】
【提出日】令和3年1月26日(2021.1.26)
【手続補正１】
【補正対象書類名】特許請求の範囲
【補正対象項目名】全文
【補正方法】変更
【補正の内容】
【特許請求の範囲】
【請求項１】
縦長の吸収性本体と、該吸収性本体の非肌当接面側に配された外装体とを備えた吸収性物品であって、
前記吸収性本体は、着用者の腹側、股下及び背側がつながる方向に相当する長手方向と、該長手方向に直交する幅方向とを有し、
前記吸収性本体の肌当接面側には、該吸収性本体の前記長手方向の端部周辺を前記幅方向に被覆するエッジカバーシートが配されており、
前記エッジカバーシートは、前記吸収性本体との弱接着部と強接着部とを有し、前記弱接着部が前記吸収性本体の幅方向中央の領域に配され、前記弱接着部の幅方向両隣に前記強接着部が配されている、吸収性物品。
【請求項２】
前記エッジカバーシートは、前記弱接着部と前記吸収性本体の長手方向外方側で隣接する領域に、前記弱接着部よりも接着強度の強い長手方向強接着部を有する請求項１記載の吸収性物品。
【請求項３】
前記弱接着部が、前記吸収性本体の有する吸収体の配置位置と重なって配されている請求項１又は２記載の吸収性物品。
【請求項４】
前記弱接着部の幅方向両隣に配されている前記強接着部が、前記吸収性本体の有する立体ギャザー部の構成部材の配置位置と重なって配されている請求項１〜３のいずれか１項に記載の吸収性物品。
【請求項５】
前記エッジカバーシートは、前記弱接着部と前記吸収性本体の長手方向内方側で隣接する領域に、前記弱接着部よりも接着強度の弱い易剥離性部を有する請求項１〜４のいずれか１項に記載の吸収性物品。
【請求項６】
前記易剥離性部が、未接着接部である請求項５記載の吸収性物品。
【請求項７】
前記弱接着部の幅方向両隣に、前記エッジカバーシートと前記吸収性本体とを接合する筋状の固定部が、前記吸収性本体の長手方向に対して傾斜して配されており、
前記吸収性本体の長手方向外方側に位置する前記固定部の端部が、前記吸収性本体の長手方向内方側に位置する前記固定部の端部よりも、前記吸収性本体の幅方向中央側に配置されている請求項１〜６のいずれか１項に記載の吸収性物品。
【請求項８】
前記弱接着部が、前記吸収性本体の有する吸収体の配置位置と重なって配されており、前記弱接着部と重なる位置に配置された前記吸収体の部位の剛性が、該部位と前記吸収性本体の長手方向内方側で隣接する前記吸収体の部位の剛性よりも低い、請求項１〜７のいずれか１項に記載の吸収性物品。
【請求項９】
前記弱接着部と重なる位置に配置された前記吸収体の部位の坪量が、該部位と前記吸収性本体の長手方向内方側で隣接する前記吸収体の部位の坪量よりも小さい、請求項８記載の吸収性物品。
【請求項１０】
前記弱接着部と重なる位置に配置された前記吸収体の部位の密度が、該部位と前記吸収性本体の長手方向内方側で隣接する前記吸収体の部位の密度よりも小さい、請求項８記載の吸収性物品。
【請求項１１】
前記弱接着部と重なる位置に配置された前記吸収体の部位に、前記吸収体を構成する吸収性材料を備えた吸収性コアの配されていない部位が含まれている、請求項８記載の吸収性物品。
【請求項１２】
前記吸収性物品の前記弱接着部に対応する領域には、前記エッジカバーシートを前記幅方向に伸縮させる弾性部材が配されておらず、前記弱接着部よりも前記吸収性本体の長手方向外方側に、前記エッジカバーシートを前記幅方向に伸縮させる弾性部材が配されている、請求項１〜１１のいずれか１項に記載の吸収性物品。
【請求項１３】
前記弱接着部よりも前記吸収性本体の長手方向外方側に配された前記弾性部材のうち、最も強い収縮力を有する弾性部材が前記弱接着部に最も近い位置に配されている、請求項１２記載の吸収性物品。
【請求項１４】
前記エッジカバーシートは、前記吸収性本体の長手方向内方側に、折り返し端部を有し、前記折り返し端部が、前記弱接着部の幅方向両隣にて固定されている、請求項１〜１３のいずれか１項に記載の吸収性物品。
【請求項１５】
前記折り返し端部と前記弱接着部との間に、前記エッジカバーシートを前記幅方向に伸縮させる弾性部材が配されている請求項１４記載の吸収性物品。
【国際調査報告】
2020089973.tif 000015
2020089973.tif 000016
2020089973.tif 000017
2020089973.tif 000018